(57)【特許請求の範囲】
【請求項１】
インピーダンス変換器などを実装したプリント基板とコンデンサ部とを含む必要部材を金属ケース内に収納してなるコンデンサマイクロホンユニットと、該コンデンサマイクロホンユニット側に電気的に接続して引き出される専用マイクコードとを少なくとも備え、
前記金属ケースは、介在配置される連結介装材が備える雄ねじにそれぞれの雌ねじを螺合させて着脱可能に組み合わされる上ケース部と下ケース部とで形成され、
該下ケース部内には、下ケース部側および／または前記プリント基板に設けられた接地用ランド側に接触して導通する筒体部と、該筒体部の下端側に連設されてその外周面に斜面部を有してなる縮径部とからなる導電性の可撓挟持体を介在配置するとともに、
前記上ケース部を前記連結介装材に緊締螺合させた際に前記下ケース部がその下端側の内周面に有するガイド斜面部に前記斜面部が圧接して生ずる撓み変形により前記縮径部を強制的に縮径させて、シース側にシールド線を折り返して専用マイクコードの前記一端部側の外周面に形成されるシールド層を抜脱困難に抱持させることで、
該シールド層から前記可撓挟持体を経て前記プリント基板の接地用ランドへと至る導電ラインを形成したことを特徴とするコンデンサマイクロホン。
【請求項２】
前記縮径部は、専用マイクコードの前記一端部側との接触面にその滑動を阻止するための鋸歯状部を設けた請求項１に記載のコンデンサマイクロホン。
【請求項３】
前記可撓挟持体は、合成樹脂材を基材とし、該基材の表出面に導電層を設けた請求項１または２に記載のコンデンサマイクロホン。
【発明の詳細な説明】
【技術分野】
【０００１】
本発明は、専用マイクコードにおけるシールド線からマイクロホンユニットのケース内に電磁波が入り込むのを阻止して該電磁波に由来する雑音の発生を効果的に防止できるようにしたコンデンサマイクロホンに関する技術である。
【背景技術】
【０００２】
コンデンサマイクロホンは、マイクロホンユニットのインピーダンスが高いことから、通常、ＦＥＴ等からなるインピーダンス変換器を介在させて高入力インピーダンスを低出力インピーダンスに変換している。
【０００３】
一方、会議用マイクロホンや聖歌隊用マイクロホンやタイピン型マイクロホンなどに用いられている微小タイプのコンデンサマイクロホンにあっては、使用時にその存在が目立たないようにする必要がある。このため、マイクロホンユニット側には、インピーダンス変換器を内蔵させるとともに、該マイクロホンユニット側から引き出された専用マイクコードをローカット回路や出力回路が収容されて他所に配置されている回路収納部側に接続するようにして使用されている。
【０００４】
この場合における専用マイクコードとしては、２芯シールド構造、つまり、電源をマイクロホンユニット側に供給する電源線と、インピーダンス変換器から出力される音声信号を回路収納部側に送り込む信号線と、これら電源線と信号線とを静電遮蔽して接地するシールド線とを備えているものが使用されている。
【０００５】
また、マイクロホンユニット側に対する専用マイクコードの接続は、例えば下記特許文献１に開示されているように、専用マイクコードにおける電源線と信号線とをプリント基板に電気的に独立させた状態で形成されているそれぞれの接続ランドに各別に接続するとともに、シールド線の側をプリント基板に形成されているシールド用ランドに接続することで行われている。
【特許文献１】実用新案登録第３０２７４２０号公報
【０００６】
図３は、上記特許文献１を含めて従来から行われているコンデンサマイクロホン側に対する専用マイクコードの接続手法を単一指向性のマイクロホンユニットを例にその要部を拡大して示す縦断面図である。同図によれば、コンデンサマイクロホン１は、ＦＥＴからなるインピーダンス変換器４を実装させたプリント基板３やコンデンサ部５などの必要部材を上側ケース部６ａ内に収容してなるマイクロホンユニット２と、プリント基板３を支承しつつマイクロホンユニット２と一体的に組み合わせて専用マイクコード７が引き出される下側ケース部６ｂとからなる金属ケース６を備えている。
【０００７】
この場合、専用マイクコード７は、電源をマイクロホンユニット２側に供給する電源線７ａがプリント基板３の１つの接続ランドに、インピーダンス変換器４から出力される音声信号を図示しない回路収納部側に接続する信号線７ｂがプリント基板３の他のひとつの接続ランドに、シールド線７ｃがプリント基板３の接地用ランドにそれぞれ各別にはんだ付けされた状態のもとで引き出されている。
【０００８】
しかも、マイクロホンユニット２側から引き出される専用マイクコード７は、下側ケース部７ｂ内に配設されたコード挟持材８に保持させて固定させた状態のもとで下側ケース部７ｂとコードブッシュ９とを経て、図示しない回路収納部側へと送り出されている。
【発明の開示】
【発明が解決しようとする課題】
【０００９】
しかし、図３に示す専用マイクコードの接続構造による場合には、専用マイクコード７におけるシールド線７ｃ側に携帯電話などが発する強い電磁波が加えられると、マイクロホンユニット２の上側ケース部６ａ内に電磁波に由来する高周波電流が入り込み、雑音を発生させる不都合があった。
【００１０】
本発明は、従来技術の上記課題に鑑み、専用マイクコードにおけるシールド線からマイクロホンユニット内に電磁波が入り込むのを阻止して該電磁波に由来する雑音の発生を効果的に防止できるようにしたコンデンサマイクロホンを提供することに目的がある。
【課題を解決するための手段】
【００１１】
本発明は、上記目的を達成すべくなされたものであり、インピーダンス変換器などを実装したプリント基板とコンデンサ部とを含む必要部材を金属ケース内に収納してなるコンデンサマイクロホンユニットと、該コンデンサマイクロホンユニット側に電気的に接続して引き出される専用マイクコードとを少なくとも備え、前記金属ケースは、介在配置される連結介装材が備える雄ねじにそれぞれの雌ねじを螺合させて着脱可能に組み合わされる上ケース部と下ケース部とで形成され、該下ケース部内には、下ケース部側および／または前記プリント基板に設けられた接地用ランド側に接触して導通する筒体部と、該筒体部の下端側に連設されてその外周面に斜面部を有してなる縮径部とからなる導電性の可撓挟持体を介在配置するとともに、前記上ケース部を前記連結介装材に緊締螺合させた際に前記下ケース部がその下端側の内周面に有するガイド斜面部に前記斜面部が圧接して生ずる撓み変形により前記縮径部を強制的に縮径させて、シース側にシールド線を折り返して専用マイクコードの前記一端部側の外周面に形成されるシールド層を抜脱困難に抱持させることで、該シールド層から前記可撓挟持体を経て前記プリント基板の接地用ランドへと至る導電ラインを形成したことを最も主要な特徴とする。
【００１２】
【００１３】
この場合、前記縮径部は、専用マイクコードの前記一端部側との接触面にその滑動を阻止するための鋸歯状部を設けておくのが望ましい。さらに、前記可撓挟持体は、合成樹脂材を基材とし、該基材の表出面に導電層を設けて形成するのが好ましい。
【発明の効果】
【００１４】
本発明によれば、専用マイクコードは、露出させたシールド線をシース側に折り返してその一端部側の外周面上にシールド層を形成した状態で用いられ、該シールド層は強制的に縮径される導電性を有する可撓挟持体の縮径部を介して抜脱困難に抱持させることができる。
【００１５】
しかも、可撓挟持体を介在配置させたことにより、シールド層から可撓挟持体を経てプリント基板側の接地用ランドへと至る導電ラインを形成して所要のシールド効果を得ることができる。
【００１６】
したがって、携帯電話をコンデンサマイクロホンの近傍で使用することがあっても、携帯電話から発生する電磁波を遮断して金属ケースの内側に入り込むのを効果的に阻止することができ、さらには、金属ケースを上ケース部と下ケース部と分解することで、故障に際しての修理も容易に行うことができる。
【発明を実施するための最良の形態】
【００１７】
図１は、本発明を単一指向性のマイクロホンユニットに適用した際の一例につき、その要部を拡大して示す縦断面図である。同図によれば、コンデンサマイクロホン１１は、インピーダンス変換器１４などを実装したプリント基板１３とコンデンサ部１５とを含む必要部材を金属ケース２２内に収納してなるコンデンサマイクロホンユニット１２と、該コンデンサマイクロホンユニット１２側にその一端部６３側を電気的に接続して引き出される専用マイクコード６２とを少なくとも備えて形成されている。
【００１８】
この場合、金属ケース２２は、開口面２４，２６相互を対向させて着脱自在に組み合わされる上ケース部２３と下ケース部２５とで形成されており、相互間に介在させた連結介装材３０により一体的に連結することができるようになっている。この場合、連結介装材３０は、上ケース部２３の雌ねじと螺合する雄ねじと、下ケース部２５の雌ねじと螺合する雄ねじとを備え、まず、下ケース部２５の雌ねじ部分に接着剤を塗布した上で、連結介装材３０側をねじ込むことにより簡単には回らないように固定しておくとともに、上ケース部２３側と連結介装材３０側とを螺合させることで、上ケース部２３と下ケース部２５とに一体的に連結されることになる。
【００１９】
また、コンデンサマイクロホンユニット１２は、ダイヤフラム１６と背極板１７とを含むコンデンサ部１５や、インピーダンス変換器１４などを実装したプリント基板１３などの必要部材を主に上ケース部２３内に収納することで形成されている。
【００２０】
しかも、下ケース部２５は、開口面２６側に位置する上端面にプリント基板１３を下支えするようにして支持する受け溝部２７が周設されているほか、専用マイクコード６２を保護しながら導出するコードブッシュ３２をその鍔部３３を介して係止する段差部２８ａを有してなる導出孔２８を基端面に備えている。
【００２１】
さらに、下ケース部２５は、段差部２８ａよりもやや上方の近傍に位置する内周面２５ａに、導出孔２８方向へと向かって前下がりに形成されたガイド斜面部２９を備えている。
【００２２】
また、下ケース部２５内は、上ケース部２３と一体的に組み合わせた際に強制的に縮径させられて専用マイクコード６２の一端部６３側の抱持を自在に形成された導電性の可撓挟持体４２が介在配置されている。該可撓挟持体４２は、下ケース部２５と接触させて導通させたり、プリント基板１３に設けられた図示しない接地用ランド側にその上端４２ａ側を図１に示すように接触させて導通させたりすることができる筒体部４３と、該筒体部４３の下端側に位置し、かつ、その外周面４３ａに内方に向かって前傾する斜面部４５を有してなる縮径部４４とで形成されている。
【００２３】
図２は、可撓挟持体４２の一例を具体的に示す説明図であり、そのうちの（ａ）は平面図を、（ｂ）は側面図を、（ｃ）は正面図を、（ｄ）は（ａ）におけるＡ−Ａ線矢視方向での縦断面図をそれぞれ示す。
【００２４】
同図によれば、可撓挟持体４２は、下ケース部２５内に配置した際にその斜面部４５が下ケース部２５のガイド斜面部２９の上側傾斜面に位置し、上ケース部２３を螺合させることで押圧された際に斜面部３５が下ケース部２５のガイド斜面部２９の下側傾斜面方向へと押し下げられながら撓み変形、つまり、縮径部４４が縮径して専用マイクコード６２の一端部６３側を咬持状態のもとで抱持することができる外形寸法が付与されて形成されている。
【００２５】
この場合、可撓挟持体４２は、適宜の幅と長さとを有して筒体部４３の基端側からその筒方向に向け、かつ、相互に周方向で１２０度の間隔をおいて平行に形成された２条の切欠部４６，４７と、各切欠部４６，４７とその周方向で１２０度の間隔をおいて筒方向での全長にわたり形成された幅広スリット部４８とを備えており、これら各切欠部４６，４７と幅広スリット部４８とでその裾部側に縮径部４４を形成している。
【００２６】
しかも、可撓挟持体４２は、縮径部４４周りで専用マイクコード６２の一端部６３側と接触する内周面４４ａに滑動を阻止する摩擦力を生成すべく、筒方向と直交する方向に隆設された１条以上、好ましくは複数状の鋸歯状部４９を備えている。
【００２７】
また、このような構造を備えて形成されている可撓挟持体４２は、適宜の絶縁性合成樹脂材を基材とし、該基材の表出面に金めっきを施すなどしてなる導電層５０を設けて形成されている。
【００２８】
また、専用マイクコード６２は、露出させたシールド線６５をシース６４側に折り返してその一端部６３側の外周面６５上に形成されるシールド層６７と、シース６４側の端面６４ａ側から突出させてコンデンサマイクロホンユニット１２側に電源を供給するための電源線として用いられる一方の芯線６８と、インピーダンス変換器１４から出力される音声信号を他所にある図示しない回路収納部側に送り込むための信号線として用いられる他方の芯線６９とを備えて形成されている。
【００２９】
この場合、専用マイクコード６２の一端部６３側に位置する芯線６８，６９は、プリント基板１４の各所定位置に各別にはんだ付けするなどして電気的に接続されている。  
【００３０】
次に、上記構成からなる本発明の一例についての作用を、図１を参酌しながら説明すれば、まず、専用マイクコード６２は、シース６４側の端面６４ａから突出させた各芯線６８，６９をプリント基板１４の各所定位置に各別にはんだ付けする。
【００３１】
また、専用マイクコード６２は、露出させたシールド線６５をシース６４側に折り返してその一端部６３側の外周面６５上に形成されるシールド層６７を下ケース部２５内に配置されている可撓挟持体４２の縮径部４５内に位置させた配置関係とするとともに、下ケース部２５の導出孔２８に係止されたコードブッシュ３２内を挿通させてマイクロホンユニット１２側から引き出されている。
【００３２】
上ケース部２３と下ケース部２５とは、このような配置関係のもとで連結介装体３０を介在させて一体的に連結されてなる金属ケース２２を備えたマイクロホンユニット１２を形成することになる。
【００３３】
しかも、上ケース部２３と下ケース部２５とで金属ケース２２を形成した際、下ケース部２５内に配置されている可撓挟持体４２は、その斜面部４５が下ケース部２５のガイド斜面部２９の下側傾斜面方向へと押し下げられながら撓み変形して縮径部４４が強制的に縮径させられる。
【００３４】
可撓挟持体４２における縮径部４４が縮径すると、専用マイクコード６２の一端部６３側の外周面６５上に形成されているシールド層６７は、縮径部４４がその内周面に備える鋸歯状部４９により咬持された状態のもとで抜脱困難に保持されることになる。
【００３５】
しかも、可撓挟持体４２は、その外表面に導電層５０が形成されているので、シールド層６７→可撓挟持体４２→プリント基板１３の接地用ランドへと至る導電ラインが形成されて所定のシールド効果を得ることができることになる。
【００３６】
したがって、携帯電話をコンデンサマイクロホン１１の近傍で使用することがあっても、携帯電話から発生する電磁波を遮断して金属ケース２２の内側に入り込むのを効果的に阻止することができる。
【００３７】
このため、本発明によれば、コンデンサマイクロホン１１の近傍で発生する電磁波に由来する高周波電流の入り込みを阻止して雑音の発生を効果的に阻止することができる。
【００３８】
また、金属ケース２２は、上ケース部２３と下ケース部２５とに分解して可撓挟持体４２の縮径部４４に対する強制的な縮径作用を解除することができるので、故障に際しての修理も容易に行うことができることになる。
【００３９】
以上は、本発明を図示例に基づいて説明したものであり、その具体的な構成はこれに限定されるものではない。例えば、本発明は、単一指向性にみならず、無指向性の構造を備えたマイクロホンユニットに適用することもできる。また、可撓挟持体４２は、その全体を導電性合成樹脂材を用いて形成することもできる。
【００４０】
さらに、可撓挟持体４２における縮径部４４は、強制的な縮径が可能でさえあれば、適宜の数の切欠部のみで形成したり、１の広幅スリット部のみで形成することもできる。また、可撓挟持体４２は、縮径部４４の内周面４４ａに鋸歯状部４９とは異なる適宜の滑動阻止構造を付与して形成したり、場合によっては滑動阻止構造を付与することなく形成することもできる。
【図面の簡単な説明】
【００４１】
【図１】本発明を単一指向性のマイクロホンユニットに適用した際の一例につき、その要部を拡大して示す縦断面図。
【図２】可撓挟持体の一例を具体的に示す説明図であり、そのうちの（ａ）は平面図を、（ｂ）は側面図を、（ｃ）は正面図を、（ｄ）は（ａ）におけるＡ−Ａ線矢視方向での縦断面図をそれぞれ示す。
【図３】コンデンサマイクロホン側に対する専用マイクコードの従来から行われている接続手法を単一指向性のマイクロホンユニットを例にその要部を拡大して示す縦断面図。
【符号の説明】
【００４２】
１１  コンデンサマイクロホン
１２  コンデンサマイクロホンユニット
１３  プリント基板
１４  インピーダンス変換器
１５  コンデンサ部
１６  ダイヤフラム
１７  背極板
２２  金属ケース
２３  上ケース部
２４  開口面
２５  下ケース部
２５ａ  内周面
２６  開口面
２７  受け溝部
２８  導出孔
２８ａ  段差部
２９  ガイド斜面部
３０  連結介装体
３２  コードブッシュ
３３  鍔部
４２  可撓挟持体
４３  筒体部
４３ａ  外周面
４４  縮径部
４４ａ  内周面
４５  斜面部
４６，４７  切欠部
４８  幅広スリット部
４９  鋸歯状部
５０  導電層
６２  専用マイクコード
６３  一端部
６４  シース
６４ａ  端面
６５  外周面
６６  シールド線
６７  シールド層
６８，６９  芯線
【図１】
0004647416.tif 000002
【図２】
0004647416.tif 000003
【図３】
0004647416.tif 000004